(57)【要約】      （修正有）【課題】ゴルフラウンドの最中に簡易的にスイングの確認ができる治具を提供する。【解決手段】ティーペッグと同様に地中に差し込むための先端部が棒形状となっており他端に向かって先細りしている楔形状の杭２００と、杭の棒形状の領域に対応するように開口部を具備するシリコーンゴム製の棒１００を差し込む構造と、からなるクラブヘッドの軌道を確認するゴルフ用具である。シリコーンゴム製の棒を叩くことでスイング軌道を確認できる。【選択図】図３
0003229419.tif 000002
【実用新案登録請求の範囲】
【請求項１】
ゴルフボールを正しく叩くクラブヘッドの位置とクラブヘッドの軌道を確認するゴルフ用具であって、前記ゴルフ用具は棒状、板状若しくは楔形状となっており一方の先端部に弾性材料から成る突起物が取り付けられたことを特徴とするゴルフクラブスイング確認治具。
【請求項２】
前記弾性材料から成る突起物の先端部の形状が棒状、矩形状若しく球状となっていることを特徴とする請求項１記載のゴルフクラブスイング確認治具。
【請求項３】
前記弾性材料から成る突起物は、着脱自在若しくは固定されていることを特徴とする請求項１記載のゴルフクラブスイング確認治具。
【考案の詳細な説明】
【技術分野】
【０００１】本考案は、ゴルフコース場若しくは野外にてゴルフクラブスイングを確認するドライバースイング確認治具に関するものである。
【背景技術】
【０００２】ゴルフプレーを行う場合には、ウッド、アイアン、パターと呼ばれるクラブセットを準備するが、それぞれのクラブによって打ち方が異なる。特にティーショットに使用されるウッド１番、通称ドライバーは飛距離重視のためにクラブが長く、ヘッドが大きく作られているため、他のクラブよりも長いために芯に当てるのが難しい。【０００３】ドライバーショットの基本は、非特許文献１と非特許文献２に記載されているようにゴルフボールの位置、ティーの位置およびプレーヤの立ち位置が重要となる。ウッドの種類によりクラブ毎に適切なボールの位置というのは変わってくるが、クラブが長くなるに従って徐々に左脇の方に移動させていくのが良いとされており、ドライバーの適切なゴルフボールの位置は左わきの真下と言われている。ティーの位置としては、ドライバーのティーアップの理想はフェースのトップからボールが半分見える高さとされており、そこから自分のうち安い高さに微調整する。プレーヤの立ち位置は、ドライバーでは自分の体とグリップとの距離が握りこぶし２つ分になるようにアドレスすることがヘッドと自分の体との距離が適切なボールの距離とされている。【０００４】アイアンは、スコアーを左右するほど重要なクラブであると呼ばれており、ダウンブローと呼ばれるスイングであり地面に対して打ち込むような降下打ちを行う。アイアンの基本的な打ち方は、ダウンブローと呼ばれるスイングであり地面に対して打ち込むような降下打ちである。当該打ち方を習得する方法としては非特許文献３にゴルフボールの７ｃｍから１０ｃｍ後ろに鉛筆を置き、その鉛筆を当てないようにスイングする方法が提案されている。
【先行技術文献】
【特許文献】
【０００５】
【特許文献１】特開２００７−２９１４８号公報
【特許文献２】特許第６３９９６６４号公報
【特許文献３】実用新案登録第３０２９１９４号公報
【非特許文献】
【０００６】
【非特許文献１】ｈｔｔｐｓ：／／ｇｏｌｆ−ｇａｋｋｏ．ｃｏｍ／ｃｌｕｂｔｙｐｅ−１８９４＃ｉｎｄｅｘ２−２
【非特許文献２】ｈｔｔｐｓ：／／ｇｏｌｆ−ｇａｋｋｏ．ｃｏｍ／ｇｏｌｆ−ｄｒｉｖｅｒ−ｓｈｏｔ−１６４７５
【非特許文献３】ｈｔｔｐｓ：／／ｇｏｌｆ−ｊａｌａｎ．ｎｅｔ／ｃｏｎｔｅｎｔｓ／ｃｌｕｂ／ｉｒｏｎ／２５２１／
【考案の概要】
【考案が解決しようとする課題】
【０００７】特許文献１は、ゴルフのスイングを矯正するゴルフのスイング矯正器具であって、ボールとユーザの間の位置またはボールを挟んでユーザと対向する位置の少なくとも一方に配置されるとともに、良好なスイングのボールのインパクト前後におけるクラブのヘッドの軌跡と略平行な傾斜面を有することを特徴とするゴルフのスイング矯正器具が提案されている。【０００８】特許文献２にはゴルフクラブのスイングの練習時に用いられて、前記ゴルフクラブのスイング軌道を矯正するスイング矯正具であって、プレーヤの足下前方に設置される可撓性材料によって形成された本体を備え、この本体の上部には、理想のスイング方向、および、前記プレーヤの足位置の目安となるガイドラインが設けられ、前記本体の、前記プレーヤが位置する側と反対側の部位には、前記ガイドラインと平行で、かつ、前記ゴルフクラブのライ角に合わせて傾斜させられたスイングガイド面が設けられ、前記スイングガイド面には、このスイングガイド面から垂直方向に突出し、その突出端部が前記スイングガイド面と平行となされた一対のスイングガイド片が、前記ガイドライン方向に間隔をおいて設けられているゴルフのスイング矯正具が提案されている。【０００９】特許文献３は、表面に多数の同じ大きさの円形突起物が縦横方向に等間隔に規則正しく並べられ、前記円形突起物は列毎に相互に異なる色に着色したゴルフスイング矯正用マットが提案されている。【００１０】しかし、前記特許文献では大掛かりな装置、又は操作性の煩雑さなどによりゴルフラウンド中で簡単にドライバーショットの確認を行えるものはなかった。
【課題を解決するための手段】
【００１１】上記課題に鑑み、考案者は創意工夫の結果、ゴルフボールを正しく叩くクラブヘッドの位置とクラブヘッドの軌道を確認するゴルフ用具であって、前記ゴルフ用具は棒状、板状若しくは楔形状となっており一方の先端部に弾性材料から成る球状の物体が取り付けられたことを特徴とするドライバースイング確認治具である。【００１２】前記弾性材料から成る突起物の先端部の形状が棒状、矩形状若しく球状となっているゴルフクラブスイング確認治具である。【００１３】前記弾性材料から成る突起物は、着脱自在若しくは固定されているゴルフクラブスイング確認治具である。
【考案の効果】
【００１４】本考案のゴルフクラブスイング確認治具を使用することにより野外練習だけでなく、ゴルフラウンド中でもスイング動作の確認が可能となる。また、ドライバーの飛距離が最大限になるには  ボールの手前５〜１０ｃｍでヘッドスピードが最大限になるのが理想であり、当該ティーをボールの手前５〜１０ｃｍに刺して  ティーを目標にスイングするとボールに当たる時は最大限パワーが出る。
【図面の簡単な説明】
【００１５】
【図１】Ｘ−Ｙ直交座標を使用してのドライバーの打ち方を説明する簡略図
【図２】Ｘ−Ｙ直交座標を使用してのアイアンの打ち方を説明する簡略図
【図３】本考案の実施形態である棒状ゴルフクラブスイング確認治具の側面図
【図４】本考案の実施形態である板状ゴルフクラブスイング確認治具の側面図
【図５】本考案の実施形態である球状ゴルフクラブスイング確認治具の側面図
【考案を実施するための形態】
【００１６】本考案のゴルフクラブスイング確認治具について図面を参照しながら実施するための形態について説明する。
【００１７】図１は、Ｘ−Ｙ直交座標を使用してのドライバーの打ち方を説明する簡略図を示すが、右利きのプレーヤは体の中心線（Ｙ軸を体の中心線としている）より左側にティーペッグ６０を介してゴルフボール５０をセットする。矢印で示した方向がドライバーのヘッドの軌道となり、ドライバーヘッドは該ゴルフボールの赤道ＲＬより低い位置から打ち込み、アッパースイングとなることが理想的なスイングである。
【００１８】図２は、Ｘ−Ｙ直交座標を使用してのアイアンの打ち方を説明する簡略図を示すが、ドライバーによるアッパースイングとは異なりダウンブロースイングとなる。Ｘ軸とＹ軸に接するようにゴルフボール５０を配置し、前記ゴルフボールの中心を通りＸ座標と平行な線を赤道ＲＬとし、矢印で示した方向がアイアンのヘッドの軌跡である。アイアンヘッドは該ゴルフボールの赤道より高い位置から打ち込み、該ボールの中心より下側を抜けて最終的にはＸ−Ｙ直交座標の原点をアイアンヘッドのソールが通過することが理想的なスイングである。
【実施例】
【００１９】図３は、本考案の実施形態である棒状ゴルフクラブスイング確認治具の側面図を示す。ティーペッグと同様に地中に差し込むための先端部が棒形状となっており他端に向かって先細りしている楔形状の杭２００と、前記杭の棒形状の領域に対応するように開口部を具備するシリコーンゴム製の棒１００を差し込む構造としている。前記シリコーンゴム製の棒の長さは、ゴルフプレーヤにより異なるため予め長さの異なるものを複数準備してもよく、又は杭の長さが異なるものであってもよい。【００２０】図４は、本考案の板状実施形態であるゴルフクラブスイング確認治具の側面図であり図３に示した棒状のシリコーンゴム製の先端部を平板としたシリコーンゴム製の棒１１０であり、図５は本考案の板状実施形態であるゴルフクラブスイング確認治具の側面図であり図３に示した棒状のシリコーンゴム製の先端部を球状としたシリコーンゴム製の棒である。【００２１】尚、本考案に係るドライバースイング確認治具の具体的な構造は、例えば、杭形状の代わりに棒状の杭としてもよくシリコーン製の棒を矩形の柱形状としてもよく上記実施形態に限られたものでなく考案の要旨を逸脱しない範囲で変更可能である。
【符合の説明】
【００２２】５０    ゴルフボール
６０    ティーペッグ
１００  シリコーンゴム製の棒
１１０  先端部を平板としたシリコーンゴム製の棒
１２０  先端部を球状としたシリコーンゴム製の棒
２００  楔形状の杭
ＲＬ    ゴルフボールの赤道
【図１】
0003229419.tif 000003
【図２】
0003229419.tif 000004
【図３】
0003229419.tif 000005
【図４】
0003229419.tif 000006
【図５】
0003229419.tif 000007